(57)【特許請求の範囲】
【請求項１】
ユニークなドットパターンが付された用紙を用いて、現場にて書き込まれた情報を通信回線を介して取得して処理する現場情報管理システムであって、
現場の面積を計測しうる各建物の各階ごとの見取り図と、当該建物の住所情報とが、識別子で識別して登録され、
さらに、単位面積を表す格子の集合である格子ファイルと、前記識別子に関連付けられた前記見取り図の縮尺情報が登録された第１の記憶部と、
前記用紙に印刷するドットパターンを記憶した第２の記憶部と、
端末装置から階数を指定した住所情報及び／又は前記識別子が含まれる見取り図の要求情報が送信されると、前記第１の記憶部を参照して、前記要求情報に対応する見取り図を取得するとともに、前記第２の記憶部からドットパターンを取得し、前記取得した見取り図とドットパターンとを合成した合成データを生成する合成データ生成部と、
前記端末装置にて印刷されたドットパターンが付された見取り図を用いて現場にて書き込まれた情報を、通信回線を介して受信すると、前記第１の記憶部を参照して前記格子ファイルと前記縮尺情報を取得し、前記現場にて書き込まれた情報に対して、前記取得した格子ファイルを重ね合わせたうえで前記取得した縮尺情報に基づいて、前記見取り図に記載された特定の範囲の面積を計算する面積算出部と、
前記生成した合成データを、端末装置に送信する送信部と、
を備えたサーバを有し、
前記端末装置が備えるプリンタにより、前記合成データを印刷して、ドットパターンが付された見取り図を端末装置にて前記用紙として印刷できるようにしたこと、
を特徴とする現場情報管理システム。
【請求項２】
前記サーバは、
前記端末装置にて印刷されたドットパターンが付された見取り図を用いて現場にて書き込まれた情報が、前記識別子に関連付けて登録された第３の記憶部と、
端末装置から前記要求情報が送信されると、前記第１の記憶部を参照して、前記要求情報に対応する見取り図を取得するとともに、前記第３の記憶部から前記要求情報に対応する前記現場にて書き込まれた情報を取得し、前記取得した見取り図と前記現場にて書き込まれた情報を前記端末装置に対して前記送信部を介して送信したうえで前記端末装置の画面装置を介して表示し、前記現場にて書き込まれた情報を修正する必要がある場合は、修正された情報を前記端末装置から受け付ける画像表示作成部を有すること、
を特徴とする請求項１に記載の現場情報管理システム。
【請求項３】
ユニークなドットパターンが付された用紙を用いて、現場にて書き込まれた情報を通信回線を介して取得して処理する現場情報管理システムを用いる現場情報管理方法であって、
前記現場情報管理システムのサーバは、
現場の面積を計測しうる各建物の各階ごとの見取り図と、当該建物の住所情報とが、識別子で識別して登録され、
さらに、単位面積を表す格子の集合である格子ファイルと、前記識別子に関連付けられた前記見取り図の縮尺情報が登録された第１の記憶部と、
前記用紙に印刷するドットパターンを記憶した第２の記憶部と、
端末装置から階数を指定した住所情報及び／又は前記識別子が含まれる見取り図の要求情報が送信されると、前記第１の記憶部を参照して、前記要求情報に対応する見取り図を取得するとともに、前記第２の記憶部からドットパターンを取得し、前記取得した見取り図とドットパターンとを合成した合成データを生成する合成データ生成部と、
前記端末装置にて印刷されたドットパターンが付された見取り図を用いて現場にて書き込まれた情報を、通信回線を介して受信すると、前記第１の記憶部を参照して前記格子ファイルと前記縮尺情報を取得し、前記現場にて書き込まれた情報に対して、前記取得した格子ファイルを重ね合わせたうえで前記取得した縮尺情報に基づいて、前記見取り図に記載された特定の範囲の面積を計算する面積算出部と、
前記生成した合成データを、端末装置に送信する送信部と、
を備え、
前記端末装置が備えるプリンタにより、前記合成データを前記用紙として印刷して、ドットパターンが付された見取り図を端末装置にて印刷できるようにしたこと、
を特徴とする現場情報管理方法。
【請求項４】
前記サーバは、
前記端末装置にて印刷されたドットパターンが付された見取り図を用いて現場にて書き込まれた情報が、前記識別子に関連付けて登録された第３の記憶部と、
端末装置から前記要求情報が送信されると、前記第１の記憶部を参照して、前記要求情報に対応する見取り図を取得するとともに、前記第３の記憶部から前記要求情報に対応する前記現場にて書き込まれた情報を取得し、前記取得した見取り図と前記現場にて書き込まれた情報を前記端末装置に対して前記送信部を介して送信したうえで前記端末装置の画面装置を介して表示し、前記現場にて書き込まれた情報を修正する必要がある場合は、修正された情報を前記端末装置から受け付ける画像表示作成部を有すること、
を特徴とする請求項３に記載の現場情報管理方法。
【発明の詳細な説明】
【技術分野】
【０００１】
本発明は、現場情報管理システム及び現場情報管理方法に関する。
【背景技術】
【０００２】
消防機関では、火災毎に焼損面積や被災人数を調べ、その情報を管理することが重要になっている。従来は鎮火後に消防隊員が現場検証を行い、手作業で焼損面積を計算し、帰署後に現場で得た焼損面積や被災人数をシステムに入力していた。
このような作業負担を軽減し、現場で情報を入力して作業を終了させるために、特許文献１に記載のシステムが開示されている。当該システムでは、情報入力に特殊なドットパターンを印刷した用紙をカメラ機能を備えたデジタルペンで読取ることで、情報を筆記ストロークとして取得し、サーバに送信して文字に変換し、入力情報としている。当該用紙は入力シートとして予め印刷出力し、デジタルペンとともに現場に携帯することとしている。
このような方式のデジタルペン入力システムの仕組みは、非特許文献１に記載されており、デジタルペンに格納した筆記ストロークデータをＡＳＨ（Application Service Handler）と呼ばれるアプリケーションプログラムにより、画像、文字、フラグデータ等に自動的に変換することができる。
【特許文献１】特開２００７−２１３３５４号公報（段落０００９〜００１４、図１）
【非特許文献１】日立製作所「デジタルペンソリューション」サイト（平成１９年１０月９日検索）  http://www.hitachi.co.jp/Div/jkk/solution/tegaki/index.html
【発明の開示】
【発明が解決しようとする課題】
【０００３】
上記従来のシステムによれば、入力シートに手書きで情報を記入することで現場での情報入力が可能となる。しかし、火災現場が水平方向・垂直方向の広範囲に亘る場合、現場の図面は階毎、同一階の部分毎に分けて格納されており、それぞれについて入力シートを予め作成することになるために、現場に大量の図面を持ち込まなければならない。また入力シートの項目に被災人数等のデータを現場で記録することでシステムへの入力が完了するとしているが、焼損面積は手動で計算した値を事後にシステムに手動入力しなければならない。
【０００４】
本発明は上記課題を解決するために、前記入力シートを現場で出力でき、現場で特定の範囲を入力シートに書き込むことにより当該範囲の面積を自動計算でき、現場で入力した情報を画面表示し、確認・修正できる現場情報管理システム及び現場情報管理方法を提供することを目的とする。
【課題を解決するための手段】
【０００５】
本発明の現場情報管理システムは、各建物の各階ごとの見取り図と、当該建物の住所情報とが、識別子で識別して登録された第１の記憶部と、用紙に印刷するドットパターンを記憶した第２の記憶部と、端末装置から階数を指定した住所情報及び／又は前記識別子が含まれる見取り図の要求情報が送信されると、第１の記憶部を参照して、要求情報に対応する見取り図を取得するとともに、第２の記憶部からドットパターンを取得し、取得した見取り図とドットパターンとを合成した合成データを生成する合成データ生成部と、生成した合成データを、端末装置に送信する送信部とを備えたサーバを有し、前記端末装置が備えるプリンタにより、前記合成データを印刷して、ドットパターンが付された見取り図を端末装置にて印刷できるようにしたことを特徴とする。また、見取り図に記載された特定の範囲の面積を自動計算し、さらに、現場にて書き込まれた情報を確認・修正できるようにしたことを特徴とする。
【発明の効果】
【０００６】
本発明によれば、前記入力シートを現場で出力でき、現場で特定の範囲を入力シートに書き込むことにより当該範囲の面積を自動計算でき、現場で入力した情報を画面表示し、確認・修正できる現場情報管理システム及び現場情報管理方法を提供することができる。
【発明を実施するための最良の形態】
【０００７】
以下、図面を参照しながら、本発明を実施するための最良の形態（以下「本実施形態」という）を詳細に説明する。
【０００８】
図１は、本実施形態に係る火災現場情報管理システム１の全体構成図である。
火災現場情報管理システム１は、センタサーバ２、現場端末装置３及び消防署端末装置４を有しており、これらはネットワーク５によって相互に接続されている。センタサーバ２は、消防機関の任意の場所に設置される。現場端末装置３は、消防隊員により火災現場へ携帯される。消防署端末装置４は、消防隊員が鎮火後現場から戻る場所、通常は消防署等に設置される。センタサーバ２、現場端末装置３及び消防署端末装置４の個数に制限はない。しかしながら、消防署端末装置４は消防署毎に１個、現場端末装置３は消防署毎に複数個、センタサーバ２は、消防署を所轄する本部組織に１個配置されるのが一般的である。
なお、「現場情報管理システム」、「サーバ」には、火災現場情報管理システム１、センタサーバ２がそれぞれ相当する。「端末装置」には、現場端末装置３、消防署端末装置４が相当する。
【０００９】
本実施形態は、火災現場の情報管理に関するものであるが、本発明は火災現場の情報管理に限定されるものではなく、火災以外の現場調査等にも適用しうる。
【００１０】
（センタサーバ２）
センタサーバ２は、相互にバスで接続された入力装置１１、出力装置１２、中央制御装置１０、主記憶装置１３、補助記憶装置１４及び通信インタフェース（ＩＦ）１５を有する。
センタサーバ２は、さらに、ＡＳＨアプリケーション１０１、図面管理部１０２、イメージ合成部１０３、焼損面積算出部１０４、データ管理部１０５及び画面表示作成部１０６を有する。これらはプログラムであり、以降「○○部は」と主体を記した場合は、中央制御装置１０が補助記憶装置１４より各プログラムを読み出して主記憶装置１３にロードした上で各機能（後記）を実行するものとする。
センタサーバ２は、さらに、補助記憶装置１４に、住居情報管理データベース１１０、ＡＳＨデータベース１２０及び焼損面積管理データベース１３０を格納している。
住居情報管理データベース１１０には、住居情報管理テーブル１１１、図面ファイル１１２及び格子ファイル１１３が、ＡＳＨデータベース１２０には、ＡＳＨデータテーブル１２１及びドットファイル１２２が、焼損面積管理データベース１３０には、焼損面積管理テーブル１３１及び画像情報ファイル１３２が、それぞれ格納されている。
なお、「第１の記憶部」、「第２の記憶部」、「第３の記憶部」、「送信部」には、それぞれ、住居情報管理データベース１１０、ＡＳＨデータベース１２０、焼損面積管理データベース１３０、通信インタフェース（ＩＦ）１５が相当する。また、「合成データ生成部」、「面積算出部」には、イメージ合成部１０３、焼損面積算出部１０４がそれぞれ相当する。
【００１１】
前記のうち、ＡＳＨアプリケーション１０１及びＡＳＨデータベース１２０は、ドットパターンをデジタルペンで読取る方式のデジタルペンシステムが読取った情報を画像、文字、フラグデータ等に変換するために備える既存の構成であり、ベンダが提供する既存プログラム及びデータベースをセンタサーバ２にインストールしても、別サーバに待たせてもよい。また、外部業者がＡＳＰ（Application Service Provider）として提供するシステムにセンタサーバ２がアクセスしてもよい。
センタサーバ２は、この他に、現場端末装置３や消防署端末装置４からのアクセス者を認証するためのユーザテーブルや認証プログラムを備えるが、当該部分は、既存の構成でよいので記載を省略する。
【００１２】
（現場端末装置３）
現場端末装置３は、バスで相互に接続された中央制御装置３１、主記憶装置３３、通信インタフェース（ＩＦ）３４、デジタルペンインタフェース（ＩＦ）３２、プリンタドライバ３５、画面インタフェース（ＩＦ）３６及び入力インタフェース（ＩＦ）３７を有する。さらに、デジタルペンインタフェース（ＩＦ）３２、プリンタドライバ３５、画面インタフェース（ＩＦ）３６及び入力インタフェース（ＩＦ）３７に対してそれぞれ接続された、デジタルペン４１、プリンタ３８、画面装置３９及び入力装置４０も有している。
主記憶装置３３には、サーバ識別情報４２及び図面識別情報４３が格納されている。
【００１３】
（消防署端末装置４）
消防署端末装置４の構成は、デジタルペンインタフェース３２及びデジタルペン４１が必須ではないことを除いて、現場端末装置３と同じであるので詳細の説明は省略する。
【００１４】
（住居情報管理テーブル１１１）
図２は、本実施形態に係る住居情報管理テーブル１１１の一例を示す図である。住居情報管理テーブル１１１は、住居情報管理データベース１１０に格納されており、消防機関が所轄する地域の住居（以下、オフィスビル、商業施設等も含めて「住居」という）に関する情報を格納したデータテーブルである。
住居ＩＤ欄２０１に記憶された住居ＩＤに関連付けて、住所欄２０２には住所が、敷地面積欄２０３には敷地面積が、建物面積欄２０４には建物面積が、構造欄２０５には構造が、居住者欄２０６には居住者が、図面ファイル欄２０７には図面コードが、縮尺欄２０８には縮尺が、それぞれ記憶されている。
【００１５】
住居ＩＤ欄２０１の住居ＩＤは、当該データテーブルのレコードを特定する識別子である。一般に、住居の図面は、建物毎、階毎、区画毎等、様々な区分で作成される。そこで、そのような区分を問わず、存在する見取り図（見取り図とは、間取りあるいは区画の様子がわかり、それに基づき全体又は部分の面積を計算できるような図面を意味する。以下単に「図面」という。）毎にレコードが作成され、当該レコードに対して住居ＩＤが付与されるものとする。なお、「識別子」には、住居ＩＤが相当する。
住所欄２０２の住所は、図面が示す住居が所在する所在地である。
敷地面積欄２０３の敷地面積は、図面が示す住居が存在する土地の面積である。
建物面積欄２０４の建物面積は、図面が示す住居の総床面積（階毎の面積ではない）である。
構造欄２０５の構造は、図面が示す住居の構造に関する情報である。
居住者欄２０６の居住者は、図面が示す住居に居住する人員数である。大人、子供別に人員数が判明している場合は、大人、子供別の人員が記憶される。オフィスビルのように、居住者が想定できない場合は、例えば昼間の在館人員を記憶してもよい。
図面ファイル欄２０７の図面コードは、図面ファイル１１２を特定する情報である。図面ファイル１１２とは、図面を電子化したファイルである。図面ファイル１１２そのものは図面コードを見出しとして付与されたうえで、住居情報管理データベース１１０に格納される。
縮尺欄２０８の縮尺は、図面上の距離と実際の距離との比率を示す数値である。
なお、図示しないが、高層ビルなどの現場からレコードを検索するユーザの便宜のために、図面の階数を示す情報の欄を設けるものとする。
住居情報管理テーブル１１１、図面ファイル１１２及び格子ファイル１１３は所与のものとする。
【００１６】
（ＡＳＨデータテーブル１２１）
図３は、本実施形態に係るＡＳＨデータテーブル１２１の一例を示す図である。ＡＳＨデータテーブル１２１は、ＡＳＨデータベース１２０に格納されており、住居ＩＤと、図面に対して割り当てられたドットファイルとを関連付けるデータベースである。
ドットＩＤ欄２１１に記憶されたドットＩＤに関連付けて、住居ＩＤ欄２１２には住居ＩＤが、ドットファイル欄２１３にはドットファイルコードがそれぞれ記憶されている。
ドットＩＤ欄２１１のドットＩＤは、住居ＩＤとドットファイルコードの組み合わせを特定する識別子である。
住居ＩＤ欄２１２の住居ＩＤは、図２の住居ＩＤと同じである。
ドットファイル欄２１３のドットファイルコードは、図面に対して割り当てられたドットファイルを特定する情報である。
【００１７】
（ドットファイル）
ドット状のパターン（ドットパターン）が全面に付された想定平面上のある部分が重複しないように図面に対して関連付けられる。すると、読取られたパターンを解析することによって、どの図面についての情報であるかが特定されるだけでなく、当該図面のどの欄（後記する「死亡人数欄」等）についての情報であるかも特定される。
このようにして図面に対して割り振られたドットパターンの部分をドットファイルといい、ドットファイル１２２自体はドットファイルコードを見出しとして付与されたうえで、ＡＳＨデータベース１２０に格納される。
ＡＳＨデータテーブル１２１及びドットファイル１２２は所与のものとする。
【００１８】
（焼損面積管理テーブル１３１）
図４は、本実施形態に係る焼損面積管理テーブル１３１の一例を示す図である。焼損面積管理テーブル１３１は、焼損面積管理データベース１３０に格納されており、火災が発生するごとにレコードが作成され、死亡人数、総焼損面積等の被害情報を記憶するデータテーブルである。
災害番号欄２２１に記憶された災害番号に関連付けて、住居ＩＤ欄２２２には住居ＩＤが、種別欄２２３には種別が、死亡人数欄２２４には死亡人数が、重症人数欄２２５には重症人数が、総焼損面積欄２２６には総焼損面積が、１階焼損面積欄２２７には１階焼損面積が、２階焼損面積欄２２８には２階焼損面積が、自由記入情報欄２２９には自由記入情報が、画像情報ファイル欄２３０には、画像情報ファイルコードがそれぞれ記憶されている。
災害番号欄２２１の災害番号は、発生した災害を特定する情報である。
住居ＩＤ欄２２２の住居ＩＤは、図２の住居ＩＤと同じである。
種別欄２２３の種別は、災害を特徴付ける区分である。例えば、「建物火災」「対象物火災」「車両火災」等、任意の区分を記憶することができる。
死亡人数欄２２４の死亡人数は、その災害によって死亡した人数であり、住居ＩＤ毎（従って図面毎）に記憶される。
重症人数欄２２５の重症人数は、その災害によって重症となった人数であり、住居ＩＤ毎（従って図面毎）に記憶される。
総焼損面積欄２２６の総焼損面積は、図面が示す住居の総面積のうち、その災害によって焼損した面積であり、住居ＩＤ毎（従って図面毎）に１の合計値が記憶される。
１階焼損面積欄２２７の１階焼損面積は、１階部分の焼損面積である。
２階焼損面積欄２２８の２階焼損面積は、２階部分の焼損面積である。
○階焼損面積の欄は、所管の地域に存在する住居の階数の最大値がｎ階であるとすると、１階面積、２階面積、３階面積、・・・、ｎ階面積まで設定される。○階面積の欄には、住居ＩＤに対応する図面に記載ある○階の面積のうち、焼損した面積が記憶される。それ以外の階には“０”が記憶される。
自由記入情報欄２２９の自由記入情報は、現場の様子を特徴付ける任意の備忘的な情報である。
画像情報ファイル欄２３０の画像情報ファイルコードは、デジタルペン４１で入力された情報（ドットパターンの位置情報が時系列で連続したもの）から変換された画像情報（画像情報ファイル）を特定する情報である。画像情報ファイル１３２自身は画像情報ファイルコードを見出しとして付与されたうえで、焼損面積管理データベース１３０に格納される。
当該データテーブルのレコードは、図面に対応する住居ＩＤ毎に作成される。従って、同一災害番号に対して、複数のレコードが存在し得る。
【００１９】
（記入図面４４）
図５は、本実施形態に係る記入図面４４（記入前）の一例を示す図である。
災害番号欄２４１には災害番号が、住所欄２４２には住所が記載されている。
ドット付図面欄２４３には、ドットパターン（破線内網掛け部分）が重ね合わせられた図面が記載されている。図面には、縮尺２４４が付されている。住居情報欄２４５には、敷地面積、建物面積、構造及び居住者が記載されている。入力情報欄２４６には、死亡人数と重症人数を入力するスペース及び自由記入情報を書き込むスペース（自由記入欄）がある。自由記入欄の下側には、種別を選択する選択ボックスがある。該当する選択ボックスにチェックマークを書き込むことによって、種別欄２２３（図４）に記憶すべき文字情報が生成されることになる。これらのスペースに対しても、ドットパターン（破線内網掛け部分）が重ね合わせられている。このように、記入図面４４は、図面自体と、その図面に関連付けられたドットファイルのドットパターンとが合成されたものを基に作成されている。
【００２０】
図６は、本実施形態に係る記入図面４４（記入後）の一例を示す図である。
ユーザは、火災現場にて、鎮火後、現場端末装置３のプリンタ３８で印刷した記入図面４４に対して、デジタルペン４１を用いて、焼損範囲２５１、発火点２５２、死亡人数２５３、重症人数２５４及び自由記入情報２５５を書き込む。デジタルペン４１は、当該書き込まれた情報を位置情報としてデジタルペン４１内の記憶装置（図示せず）に一旦記憶し、現場端末装置３を介して、センタサーバ２に送信する。
ちなみに、図６では、ユーザにより、焼損範囲２５１が閉曲線で囲まれた斜線として記入されている。発火点２５２は黒丸として記入されている。そして入力情報欄２４６には、手書きで、死亡人数２５３、重症人数２５４及び自由記入情報２５５が記載されている。また、選択ボックスにチェックマークが記入されている。
【００２１】
図７は、本実施形態に係る焼損面積を計算する仕組みを示す図である。
画像情報ファイル１３２と、格子ファイル１１３（破線内格子部分）が重ね合わされている。
焼損範囲２５１と重なりあっている格子ファイル１１３上の格子（面積の１単位）の個数と、縮尺２０８（図２）に基づいて焼損面積が計算される。マス目の一部のみが重なりあう場合もあるが、マス目を十分小さくすることにより精度を上げることは可能である。図７は、焼損面積を計算する仕組みを説明するためのものであるが、必ず画面に出力されなければならないものではない。
【００２２】
（修正画面４５）
図８は、本実施形態に係る修正画面４５の一例を示す図である。修正画面４５は、消防署端末装置４の画面装置を介して出力される画面である。
災害番号欄２６１には災害番号が、住所欄２６２には住所が記載されている。
図面欄２６３には、図面（ドットファイルも格子ファイルも重ね合わされていないが、画像情報ファイルが重ね合わされている）が表示されている。図面には、縮尺２６４が付されている。住居情報欄２６５には、敷地面積、建物面積、構造及び居住者が表示されている。入力情報欄２６６には、死亡人数、重症人数、総焼損面積、各階焼損面積及び種別が表示されている。入力情報欄２６６の下部に修正情報入力欄２６７が空欄として表示されている。
ユーザは、修正画面４５に表示されている入力情報欄２６６の情報を確認し、当該情報を修正する場合は、修正情報入力欄２６７に対し入力装置を介して修正後の数値を入力する。
【００２３】
以下、本実施形態に係る処理手順を説明する。処理手順は、現場端末装置３を介して行われる「現場処理手順」及び、消防署端末装置４を介して行われる「修正処理手順」の２つに分けられる。「修正処理手順」は、「現場処理手順」が行われたことが前提となっている。
【００２４】
（現場処理手順）
図９は、本実施形態に係る現場処理手順のフローチャートである。
ステップＳ４０１において、現場端末装置３は、センタサーバ２に対しログインを要求する。
具体的には、現場端末装置３は、ユーザから入力装置４０を介して入力を受け付けたユーザのＩＤ、パスワード等の認証情報を、サーバ識別情報４２に備えるアドレスによって特定されるセンタサーバ２に対して送信し、ログインを要求する。
【００２５】
ステップＳ４０２において、センタサーバ２は、ユーザ認証を行いアクセス許可を出す。
具体的には、ステップＳ４０１にて送信された認証情報を受信した後認証し、認証結果を、現場端末装置３に送信する。
【００２６】
ステップＳ４０３において、現場端末装置３は、住所等の入力を受け付け、センタサーバ２に送信する。
具体的には、現場端末装置３は、第一に、ユーザによる入力装置４０を介しての階数を指定した住所の入力を受け付ける。このとき、ユーザが住居ＩＤを知っている場合は、住居ＩＤの入力を受け付けてもかまわない。これら両者を受け付けてもかまわない。
第二に、「第一」にて受け付けた階数を指定した住所又は住居ＩＤをセンタサーバ２に対して送信する。
【００２７】
ステップＳ４０４において、センタサーバ２の図面管理部１０２は、住居情報管理テーブル１１１のレコードの選択を受け付ける。
具体的には、図面管理部１０２は、第一に、ステップＳ４０３にて現場端末装置３が送信した階数を指定した住所及び／又は住居ＩＤを受信する。
第二に、「第一」で受信した階数を指定した住所及び／又は住居ＩＤを検索キーとして住居情報管理テーブル１１１を検索する。
第三に、「第二」における検索の結果、該当したレコード（１つとは限らない）の一覧表を現場端末装置３に送信し、現場端末装置３の入力装置４０を介したユーザの選択（選択されるレコードは１つとは限らない）を受け付ける。このとき、該当したレコードが１つであれば、当該１つが選択されたとする。
【００２８】
ステップＳ４０５において、イメージ合成部１０３は、図面ファイル１１２とドットファイル１２２とを合成する。
具体的には、第一に、ステップＳ４０４の「第三」にて選択を受け付けたレコードの住居ＩＤを検索キーとして、ＡＳＨデータテーブル１２１を検索し、該当したレコードのドットファイルコードを取得する。
第二に、ＡＳＨデータベース１２０を検索し、「第一」にて取得したドットファイルコードを有するドットファイル１２２を取得し、住居情報管理データベース１１０を検索し、ステップＳ４０４の「第三」にて選択されたレコードの図面ファイルコードを有する図面ファイル１１２を取得し、当該取得したドットファイル１２２と図面ファイル１１２を重ね合わせる（以降、重ね合わせて作成された図面ファイルを「合成図面ファイル」という）。
【００２９】
ステップＳ４０６において、データ管理部１０５は、焼損面積管理テーブル１３１に新たなレコードを作成する。
具体的には、第一に、ステップＳ４０４の「第三」にて選択を受け付けたレコードの住居ＩＤを住居ＩＤ欄に有する焼損面積管理テーブル１３１の新たなレコードを作成する。レコードの個数は、ステップＳ４０４の「第三」にて選択を受け付けたレコードの個数分作成する。
第二に、災害番号を採番し、「第一」にて作成した全てのレコードの災害番号欄２２１に記憶する。
【００３０】
ステップＳ４０７において、イメージ合成部１０３は、合成図面ファイルを現場端末装置３に対して送信する。
具体的には、第一に、ステップＳ４０５の「第二」の合成図面ファイルに対し、ステップＳ４０４の「第三」にて選択を受け付けたレコードの、住所、敷地面積、建物面積、構造、居住者及び縮尺を付与し、続いて、ステップＳ４０６の「第二」にて採番した災害番号を付与する。
第二に、「第一」にて住所等が付与された合成図面ファイルに対し、ステップＳ４０４の「第三」にて選択されたレコードの住居ＩＤを付与したうえで、現場端末装置３に対して送信する。
【００３１】
ステップＳ４０８において、現場端末装置３は、記入図面４４を印刷する。
具体的には、第一に、ステップＳ４０７の「第二」にて送信された合成図面ファイルを受信し、主記憶装置３３に記憶する。合成図面ファイルに付されている住居ＩＤは、図面識別情報４３として記憶する。
第二に、「第一」にて受信した合成図面ファイルに基づいて、記入図面４４を、プリンタ３８を介して出力する。このとき、プリンタドライバ３５は、合成図面ファイルに付されている縮尺に基づいて、用紙に収まるように記入図面４４の印刷縮尺を決定する。
このあと、ユーザは、デジタルペン４１を用いて記入図面４４に対して、図形、文字
及びチェックマークを記入する。
【００３２】
ステップＳ４０９において、現場端末装置３は、デジタルペン４１による入力情報を受け付ける。
具体的には、第一に、デジタルペン４１は、ユーザが記入図面４４に対しデジタルペン４１を用いて記入した筆跡を読取り、デジタルペン４１内の記憶装置（図示せず）に入力情報として記憶する。
第二に、デジタルペン４１は、現場端末装置３の主記憶装置３３に対して、「第一」にて記憶した入力情報を送信する。当該送信のタイミングは任意である。例えば、記入終了後ユーザからの指示を受けて送信してもよいし、一定の時間の経過後、自動的に送信してもよい。また、入力情報の全てについて１度に送信してもよいし、分割して送信してもよい。
第三に、現場端末装置３は、デジタルペン４１から入力された入力情報を受信し、主記憶装置３３に記憶する。
【００３３】
ステップＳ４１０において、現場端末装置３は、入力情報をセンタサーバ２に送信する。
具体的には、第一に、現場端末装置３は、ステップＳ４０９の「第三」にて記憶した入力情報を主記憶装置３３から読み出す。
第二に、「第一」にて読み出した入力情報に対して、ステップＳ４０８の「第一」において図面識別情報４３として記憶していた住居ＩＤを付して、センタサーバ２に対して送信する。
【００３４】
ステップＳ４１１において、センタサーバ２のＡＳＨアプリケーション１０１は、入力情報を変換する。
具体的には、センタサーバ２のＡＳＨアプリケーション１０１は、第一に、ステップＳ４１０の「第二」にて送信された入力情報につき、ドット付図面欄２４３、入力情報欄２４６（死亡人数欄、重症人数欄、自由記入欄、選択ボックス）のいずれの欄に記入された情報であるかを識別する。
第二に、ドット付図面欄２４３に記入された入力情報を画像情報に変換する。
第三に、入力情報欄２４６（死亡人数欄、重症人数欄、自由記入欄、選択ボックス）に記入された入力情報を文字情報に変換する。選択ボックスに記入されたチェックマークはその位置に応じて「建物火災」等あらかじめ設定されている文字情報に変換されるものとする。
続いて、データ管理部１０５は、第四に、「第二」の画像情報に対し画像情報ファイルコードを採番のうえ付与し、ステップＳ４１０の「第二」にて付された住居ＩＤを有する焼損面積管理テーブル１３１の画像情報ファイル欄２３０に、当該画像情報ファイルコードを記憶する。そして画像情報自体（画像情報ファイル）を焼損面積管理データベース１３０に記憶する。
第五に、「第三」の文字情報を、ステップＳ４１０の「第二」にて付された住居ＩＤを有する焼損面積管理テーブル１３１の種別欄２２３、死亡人数欄２２４、重症人数欄２２５、自由記入情報欄２２９に記憶する。
【００３５】
ステップＳ４１２において、センタサーバ２は、焼損面積を算出する。
具体的には、焼損面積算出部１０４は、第一に、焼損面積管理テーブル１３１を検索し、最初のレコードの、住居ＩＤと画像情報ファイルコードとを取得する。さらに、焼損面積管理データベース１３０を検索し、当該画像情報ファイルコードを有する画像情報ファイル１３２を取得する。
第二に、「第一」にて取得した住居ＩＤを検索キーとして住居情報管理テーブル１１１を検索し、該当したレコードの縮尺を取得する。さらに、住居情報管理データベース１１０から格子ファイル１１３を取得する。
第三に、「第一」で取得した画像情報ファイル１３２と「第二」にて取得した格子ファイル１１３とを重ね合わせ、焼損範囲２５１と重なっている格子の個数を数え、当該個数と、「第二」にて取得した縮尺とに基づいて、焼損面積を算出する。
データ管理部１０５は、第四に、「第一」におけるレコードの対応階数の焼損面積欄２２７、２２８に「第三」にて算出した焼損面積を記憶する。そして、各階焼損面積欄２２７、２２８の値の合計値を計算し、総焼損面積欄２２６に記憶する。
「第一」〜「第四」の処理手順は、焼損面積管理テーブル１３１において、総焼損面積欄２２６、１階焼損面積欄２２７、２階焼損面積欄２２８、・・、ｎ階焼損面積欄のいずれにも数値の記憶されていないレコードがなくなるまで各レコードについて繰り返す。
以上により、焼損面積管理テーブル１３１のレコードが完成することになる。
以上で、現場処理手順は終了する。
【００３６】
（修正処理手順）
図１０は、本実施形態に係る修正処理手順のフローチャートである。
以下の修正処理手順の説明において、消防署端末装置４を構成するハードウエア等に付した符号（入力装置「４０」等）は、図１において現場端末装置３を構成するハードウエア等に付した符号と同じである。これは、前記の通り消防署端末装置４と現場端末装置３とが、デジタルペン４１及びデジタルペンインタフェース３２を除いて、同様の構成を有していることに起因する。当然ながら、当該符号は、修正処理手順の説明においては消防署端末装置４の構成を示すものである。
ステップＳ５０１において、消防署端末装置４は、センタサーバ２に対しログインを要求する。
具体的には、消防署端末装置４は、ユーザから入力装置４０を介して入力を受け付けたユーザのＩＤ、パスワード等の認証情報を、サーバ識別情報４２に備えるアドレスによって特定されるセンタサーバ２に対して送信し、ログインを要求する。
【００３７】
ステップＳ５０２において、センタサーバ２は、ユーザ認証を行いアクセス許可を出す。
具体的には、ステップＳ５０１にて送信された認証情報を受信した後認証し、認証結果を、消防署端末装置４に送信する。
【００３８】
ステップＳ５０３において、消防署端末装置４は、住所等の入力を受け付け、センタサーバ２に送信する。
具体的には、消防署端末装置４は、第一に、ユーザによる入力装置４０を介しての階数を指定した住所の入力を受け付ける。このとき、ユーザが住居ＩＤを知っている場合は、住居ＩＤの入力を受け付けてもかまわない。これら両者を受け付けてもかまわない。
第二に、「第一」にて受け付けた階数を指定した住所及び／又は住居ＩＤをセンタサーバ２に対して送信する。
【００３９】
ステップＳ５０４において、センタサーバ２のデータ管理部１０５は、焼損面積管理テーブル１３１を検索する。
具体的には、第一に、ステップＳ５０３の「第二」で階数を指定した住所のみが送信された場合は、当該階数と住所を検索キーとして、住居情報管理テーブル１１１を検索し、該当したテーブルの住居ＩＤを取得する。
第二に、ステップＳ５０３の「第二」で送信された住居ＩＤまたは、ステップＳ５０４の「第一」にて取得した住居ＩＤを検索キーとして、焼損面積管理テーブル１３１を検索し、該当したレコードを全て取得する。
【００４０】
ステップＳ５０５において、データ管理部１０５は、焼損面積管理テーブル１３１のレコード一覧を送信する。
具体的には、ステップＳ５０４の「第二」にて取得したレコードを一覧表の形式で消防署端末装置４に送信する。
【００４１】
ステップＳ５０６において、消防署端末装置４は、災害番号の選択を受け付ける。
具体的には、第一に、ステップＳ５０５にて送信された一覧表形式のレコードを画面装置３９に表示する。
第二に、ユーザが入力装置４０を介して「第一」にて表示されたレコードを選択するのを受け付ける。
第三に、「第二」にて選択されたレコードの災害番号をセンタサーバ２に対して送信する。
【００４２】
ステップＳ５０７において、センタサーバ２のデータ管理部１０５は、焼損面積管理テーブル１３１のレコードの情報を取得する。
具体的には、第一に、ステップＳ５０６の「第三」にて送信された災害番号を受信し、当該災害番号を検索キーとして焼損面積管理テーブル１３１を検索し、該当したすべてのレコードの、災害番号、住居ＩＤ、死亡人数、重症人数、総焼損面積、各階焼損面積及び画像情報ファイルコードを取得する。
第二に、焼損面積管理データベース１３０を検索し、「第一」にて取得した画像情報ファイルコードを有する画像情報ファイル１３２を取得する。
【００４３】
ステップＳ５０８において、センタサーバ２の画面表示作成部１０６は、住居情報管理テーブル１１１のレコードの情報を取得する。
具体的には、第一に、ステップＳ５０７の「第一」にて取得した住居ＩＤを検索キーとして、住居情報管理テーブル１１１を検索し、該当したすべてのレコードの住所、敷地面積、建物面積、構造、居住者、図面ファイルコード、及び縮尺を取得する。
第二に、住居情報管理データベース１１０を検索し、「第一」にて取得した図面ファイルコードを有する図面ファイル１１２を取得する。
【００４４】
ステップＳ５０９において、センタサーバ２の画面表示作成部１０６は、表示ファイルを作成する。
具体的には、第一に、ステップＳ５０８の「第二」にて取得した図面ファイル１１２に対し、ステップＳ５０７の「第二」にて取得した画像情報ファイル１３２を重ね合わせ、表示ファイルとする。
第二に、「第一」の表示ファイルの余白部分に、ステップＳ５０８の「第一」にて取得した住所、敷地面積、建物面積、構造、居住者、縮尺、及び、ステップＳ５０７の「第一」にて取得した災害番号、住居ＩＤ、死亡人数、重症人数、総焼損面積、各階焼損面積を記憶する。
第三に、「第一」の表示ファイルの余白部分に、さらに、修正情報入力欄２６７を付加し、表示ファイルを完成させる。修正情報入力欄２６７には、修正後の死亡人数、重症人数、総焼損面積、修正階数、修正面積、種別を入力する欄を設けるものとする。
なお、表示ファイルは、焼損面積管理テーブル１３１のレコード毎に作成される。
【００４５】
ステップＳ５１０において、センタサーバ２の画面表示作成部１０６は、表示ファイルを送信する。
具体的には、ステップＳ５０９の「第三」にて完成された表示ファイルを、ステップＳ５０７の「第一」にて取得した住居ＩＤを付したうえで消防署端末装置４に対して送信する。
【００４６】
ステップＳ５１１において、消防署端末装置４は、表示ファイルを画面に表示する。
具体的には、第一に、ステップＳ５１０にて送信された表示ファイルを受信する。このとき、表示ファイルに付されている住居ＩＤを、図面識別情報４３として主記憶装置３３に記憶する。
第二に、「第一」にて受信した表示ファイルを画面装置３９を介して、修正画面４５として表示する。
【００４７】
ステップＳ５１２において、消防署端末装置４は、修正情報の入力を受け付ける。
具体的には、第一に、修正画面４５に表示された死亡人数、重症人数、総焼損面積、各階焼損面積、種別の少なくとも１つ以上を修正する必要がある場合は、修正情報入力欄２６７の該当する欄にユーザによる修正後の情報（修正情報）の入力を入力装置４０を介して受け付ける。修正する必要がない場合は何もしない。
第二に、ユーザによる画面上の送信ボタン２６８の押下を受け付け、「第一」にて受け付けた修正情報をセンタサーバ２に送信する。このとき、ステップＳ５１１の「第一」にて主記憶装置３３に記憶した住居ＩＤを読み出して、当該修正情報に対して付して送信するものとする。
【００４８】
ステップＳ５１３において、センタサーバ２のデータ管理部１０５は、修正情報を登録する。
具体的には、第一に、ステップＳ５１２の「第二」にて送信された修正情報を受信し、死亡人数、重症人数、総焼損面積、各階焼損面積、種別のいずれの欄に係る情報であるかを判別する。
第二に、「第一」にて受信した修正情報に付されている住居ＩＤを検索キーとして焼損面積管理テーブル１３１を検索し、該当したレコードの死亡人数欄２２４、重症人数欄２２５、総焼損面積欄２２６、各階焼損面積欄２２７、２２８、種別欄２２３の値を、「第一」にて判別された修正情報によって更新する。
以上で、修正処理手順は終了する。
【図面の簡単な説明】
【００４９】
【図１】本実施形態に係る火災現場情報管理システムの全体構成図である。
【図２】本実施形態に係る住居情報管理テーブルの一例を示す図である。
【図３】本実施形態に係るＡＳＨデータテーブルの一例を示す図である。
【図４】本実施形態に係る焼損面積管理テーブルの一例を示す図である。
【図５】本実施形態に係る記入図面（記入前）の一例を示す図である。
【図６】本実施形態に係る記入図面（記入後）の一例を示す図である。
【図７】本実施形態に係る焼損面積を計算する仕組みを示す図である。
【図８】本実施形態に係る修正画面の一例を示す図である。
【図９】本実施形態に係る現場処理手順のフローチャートである。
【図１０】本実施形態に係る修正処理手順のフローチャートである。
【符号の説明】
【００５０】
１      火災現場情報管理システム
２      センタサーバ
３      現場端末装置
４      消防署端末装置
１０    中央制御装置
１１    入力装置
１２    出力装置
１３    主記憶装置
１４    補助記憶装置
１５    通信インタフェース
３８    プリンタ
３９    画面装置
４０    入力装置
４１    デジタルペン
４４    記入図面
４５    修正画面
１０１  ＡＳＨアプリケーション
１０２  図面管理部
１０３  イメージ合成部
１０４  焼損面積算出部
１０５  データ管理部
１０６  画面表示作成部
１１０  住居情報管理データベース
１１１  住居情報管理テーブル
１１２  図面ファイル
１１３  格子ファイル
１２０  ＡＳＨデータベース
１２１  ＡＳＨデータテーブル
１２２  ドットファイル
１３０  焼損面積管理データベース
１３１  焼損面積管理テーブル
１３２  画像情報ファイル
【図１】
0004922907.tif 000002
【図２】
0004922907.tif 000003
【図３】
0004922907.tif 000004
【図４】
0004922907.tif 000005
【図５】
0004922907.tif 000006
【図６】
0004922907.tif 000007
【図７】
0004922907.tif 000008
【図８】
0004922907.tif 000009
【図９】
0004922907.tif 000010
【図１０】
0004922907.tif 000011